(57)【要約】【課題】ＳＤＨ信号を差動伝送する際など、特にＩＴＵ−Ｔ規格のＳＤＨ方式に準拠した回路を用いて差動信号回路の誤接続を容易かつ短時間で検出する。【解決手段】送信側回路１と受信側回路２との間の差動信号回線の誤接続を検出する方法であって、送信側回路１から受信側回路２に伝送された信号のフレーム同期が取れないときに、送信側回路１のＯＨ挿入部１０２によって、伝送される信号にフレーム同期バイトの反転値を挿入した後、シングル−バランス変換ドライバ１０４によって差動信号に変換し、受信側回路２において、バランス−シングル変換レシーバ２０１によって差動信号を単線信号に変換し、フレーム同期部２０３によってＬＯＦアラーム２１７が検出されず、信号のフレーム同期が取れた際に、差動信号回線が誤接続であると判定する。【選択図】図１
2007150775.tif 000002
【特許請求の範囲】
【請求項１】
送信側回路と受信側回路との間の差動信号回線の誤接続を検出する方法であって、
前記送信側回路から前記受信側回路に伝送された信号のフレーム同期が取れないときに、前記送信側回路において、伝送される信号に、フレーム同期バイトの反転値を挿入した後差動信号に変換し、前記受信側回路において、該差動信号を単線信号に変換し、該信号のフレーム同期が取れた際に、前記差動信号回線が誤接続であると判定することを特徴とする差動信号回線の誤接続検出方法。
【請求項２】
前記差動信号回線は、ＳＤＨ差動信号を伝送することを特徴とする請求項１に記載の差動信号回線の誤接続検出方法。
【請求項３】
送信側回路と受信側回路との間の差動信号回線の誤接続を検出するシステムであって、
前記送信側回路に備えられ、伝送される信号に、フレーム同期バイトの反転値を挿入するオーバーヘッド挿入部と、伝送される信号を単線−差動変換するドライバと、
前記受信側回路に備えられ、伝送される信号を差動−単線変換するレシーバと、フレーム損失アラームを検出するフレーム同期部とを備えることを特徴とする差動信号回線の誤接続検出システム。
【請求項４】
前記差動信号回線は、ＳＤＨ差動信号を伝送することを特徴とする請求項３に記載の差動信号回線の誤接続検出システム。
【発明の詳細な説明】
【技術分野】
【０００１】
本発明は、差動信号回線の誤接続の検出に関し、特に、ＩＴＵ−Ｔ規格のＳＤＨ（Synchronous Digital Hierarchy ）装置、又はＡＮＳＩ規格のＳＯＮＥＴ（Synchronous Optical NETwork）装置等、回路間のインタフェースがＳＤＨ／ＳＯＮＥＴに準拠している際に差動信号を送信する回線の誤接続を検出する方法及びシステムに関する。
【背景技術】
【０００２】
ＬＳＩ等の回路間のプリント板の配線やケーブルの配線は、近年のデバイスの高速化に伴い、単線ではなく、差動による配線が主流となっている。ＬＳＩ等の回路間の伝送フォーマットがＳＤＨ／ＳＯＮＥＴ規格に準拠している際に、回線の誤接続を検出する方法として、回線毎にオーバーヘッドへ識別コードを挿入し、当該回線と異なる識別コードを受信したときに誤接続と判定する方法が提案されている（例えば、特許文献１参照）。
【０００３】
【特許文献１】特開２００３−００８５３３号公報
【発明の開示】
【発明が解決しようとする課題】
【０００４】
しかし、上記オーバーヘッドに識別コードを挿入し、期待値との照合から回線の誤接続を検出する方法では、回線間の誤接続を検出することはできるが、差動信号の誤接続で極性が反転すると、フレーム損失が発生するため、オーバーヘッド、すなわち識別コードを認識・照合することができず、差動信号回線の誤接続を検出することができないという問題があった。
【０００５】
また、差動信号回線の誤接続で伝送監視アラームが発生すると、発生要因が誤接続、故障、接続間の断線、劣化等と多様であるため、発生要因をエラー現象から特定することが困難であり、原因究明のために長時間を要するという問題があった。
【０００６】
そこで、本発明は、上記従来の技術における問題点に鑑みてなされたものであって、回路間のインタフェースがＳＤＨ／ＳＯＮＥＴに準拠している際の差動信号回線の誤接続を容易に検出することが可能な方法及びシステムを提供することを目的とする。
【課題を解決するための手段】
【０００７】
上記目的を達成するため、本発明は、送信側回路と受信側回路との間の差動信号回線の誤接続を検出する方法であって、前記送信側回路から前記受信側回路に伝送された信号のフレーム同期が取れないときに、前記送信側回路において、伝送される信号に、フレーム同期バイトの反転値を挿入した後差動信号に変換し、前記受信側回路において、該差動信号を単線信号に変換し、該信号のフレーム同期が取れた際に、前記差動信号回線が誤接続であると判定することを特徴とする。
【０００８】
そして、本発明によれば、差動信号回線の誤接続があると、通常、フレーム同期を取ることができないが、送信側回路において、フレーム同期バイトの反転値を挿入した後差動信号に変換し、受信側回路において差動信号を単線信号に変換する際にデータの極性が反転するため、フレーム同期が取れることとなる。そのため、フレーム同期バイトの反転値を挿入する前後でこのような現象が発生した場合には、差動信号回線の誤接続と特定することができる。
【０００９】
本発明では、フレーム同期バイトの反転値を挿入することで誤接続を検出することができるため、ケーブルの入れ替えなしに差動信号回線の誤接続を検出することができ、検出作業を容易、かつ短時間で行うことが可能となる。
【００１０】
前記差動信号回線の誤接続検出方法において、前記差動信号回線は、ＳＤＨ差動信号を伝送することができ、スクランブル範囲外で、かつＩＴＵ−Ｔ規格でユーザーからの挿入をサポートしているＪ０／Ｚ０バイトに対してＣＰＵから挿入制御し、ＬＯＦアラームをＣＰＵ側でモニタすることで誤接続を判定することができるため、ＩＴＵ−Ｔ規格に準拠した回路でハードウェアの改造なしに、ソフトウエアで誤検出を行うことができる。
【００１１】
また、本発明は、送信側回路と受信側回路との間の差動信号回線の誤接続を検出するシステムであって、前記送信側回路に備えられ、伝送される信号に、フレーム同期バイトの反転値を挿入するオーバーヘッド挿入部と、伝送される信号を単線−差動変換するドライバと、前記受信側回路に備えられ、伝送される信号を差動−単線変換するレシーバと、フレーム損失アラームを検出するフレーム同期部とを備えることを特徴とする。
【００１２】
この構成により、送信側回路から受信側回路に伝送された信号のフレーム同期が取れない際に、前記送信側回路のオーバーヘッド挿入部によって、伝送される信号にフレーム同期バイトの反転値を挿入した後、ドライバによって単線−差動変換し、前記受信側回路のレシーバによって、送信側回路から伝送される信号を差動−単線変換し、フレーム同期部でフレーム損失アラームを検出した際に、差動信号回線の誤接続と特定することができる。これによって、ケーブルの入れ替えなしに差動信号回線の誤接続を検出することができ、検出作業を容易、かつ短時間で行うことが可能となる。
【００１３】
前記差動信号回線の誤接続検出システムにおいて、前記差動信号回線は、ＳＤＨ差動信号を伝送することができ、これによって、上述のように、ＩＴＵ−Ｔ規格に準拠した回路でハードウェアの改造なしにソフトウエアで誤検出を行うことができる。
【発明の効果】
【００１４】
以上のように、本発明によれば、回路間のインタフェースがＳＤＨ／ＳＯＮＥＴに準拠している際の差動信号回線の誤接続を容易に検出することなどが可能となる。
【発明を実施するための最良の形態】
【００１５】
次に、本発明の実施の形態について図面を参照しながら説明する。
【００１６】
図１は、本発明にかかる差動信号回線の誤接続検出システムの一実施の形態を示し、このシステムは、回路１と回路２との間で差動信号回線の誤接続を検出する。
【００１７】
回路１は、主信号を処理する主信号処理部１０１と、主信号処理部１０１が出力したデータ１０６に対してオーバーヘッドを挿入するＯＨ（オーバーヘッド）挿入部１０２と、データ１０７に対してスクランブル処理を行うスクランブル部１０３と、出力するＳＤＨ信号を伝送するため、データ１０８を差動信号に変換するシングル−バランス変換ドライバ１０４と、ＣＰＵバス３０１経由でＯＨ挿入部１０２を制御するＣＰＵインタフェース部１０５とで構成される。
【００１８】
回路２は、入力したＳＤＨ信号を差動信号から単線信号に変換するバランス−シングル変換レシーバ２０１と、受信したデータ２１１からクロックを抽出し、入力信号がないときにＬＯＳ（loss of signal）アラーム２１６を検出するクロックリカバリ部２０２と、受信したデータ２１２に対してフレーム同期バイトを検出し、フレーム同期を取り、フレーム同期バイトを検出しなかったときにＬＯＦ（loss of frame）アラーム２１７を検出するフレーム同期部２０３と、データ２１３に対してデスクランブル処理を行うデスクランブル部２０４と、オーバーヘッドを終端するＯＨ終端部２０５と、主信号を処理する主信号処理部２０６と、検出したアラームをＣＰＵバス３０１経由でＣＰＵ３に通知するＣＰＵインタフェース部２０７とで構成される。尚、回路１と回路２の接続には、主に同軸等のケーブル配線を用いる。
【００１９】
次に、図１に示した装置の動作について、図表を参照しながら説明する。
【００２０】
図１に示す回路１は、主信号処理部１０１で主信号を処理した後、ＯＨ挿入部１０２にて、データ１０６にオーバーヘッド値１１１を挿入する。このオーバーヘッドには、フレーム同期バイトであるＡ１バイト、Ａ２バイト、伝送路誤り監視用のＢ１バイト、ＩＴＵ−Ｔに準拠したユーザー挿入可能なオーバーヘッドのバイトがあり、ＣＰＵインタフェース部１０５から制御して値を挿入する。
【００２１】
本実施の形態では、スクランブル範囲外で、かつユーザー設定可能なＪ０バイト及びＺ０バイトにＣＰＵ３からの設定で値を挿入する。その後、スクランブル部１０３でセクションオーバーヘッドの１行目（Ａ１バイト，Ａ２バイト，Ｊ０バイト，Ｚ０バイト）を除いた箇所（図３参照）についてスクランブル処理を施す。スクランブル処理したデータ１０８は、シングル−バランス変換ドライバ１０４で差動信号に変換され、データ出力Ｐ＿１０９と、データ出力Ｎ＿１１０として出力する。
【００２２】
ケーブル伝送後、回路２では、受信したデータ入力Ｐ＿２０９とデータ入力Ｎ＿２１０との差動信号をバランス−シングル変換レシーバ２０１にて単線信号に変換する。単線化されたデータ２１１について、クロックリカバリ部２０２でクロックを抽出し、リタイミングする。入力信号が存在しない場合には、ＬＯＳアラーム２１６を検出する。
【００２３】
その後、フレーム同期部２０３で、ＳＤＨの同期検出条件である図２の２つの値Ｆ６（ｈ）と、２つの値２８（ｈ）の計３２ビットを検索し、同期引き込みを行う。同期バイトを検出しない場合には、ＬＯＦアラーム２１７を検出する。その後、デスクランブル部２０４でセクションオーバーヘッドの１行目（Ａ１バイト，Ａ２バイト，Ｊ０バイト，Ｚ０バイト）を除いた箇所についてデスクランブル処理を施し、スクランブル前の信号に復元する。
【００２４】
その後、ＯＨ終端部２０５でＩＴＵ−Ｔに準拠したオーバーヘッド２１９を終端し、主信号処理部２０６で主信号を処理する。検出したＬＯＳアラーム２１６と、ＬＯＦアラーム２１７と、Ｂ１エラーアラーム２１８と、終端したオーバーヘッド値２０８は、ＣＰＵインタフェース部２０７からＣＰＵバス３０１経由でＣＰＵ３に通知される。
【００２５】
Ｊ０／Ｚ０バイトは、ユーザー挿入可能なオーバーヘッドであり、任意の値を挿入することができるようになっているが、通常は、ＳＴＭ識別番号や、０値や１値、ＳＴＭ−６４以上では基本的にＡＡｈ（ＡＮＳＩ規格ではＣＣｈ）を挿入するため、本実施の形態での値（０９，０９，Ｄ７，Ｄ７）を挿入することはない。事象１の正常に配線されている場合には、回路２においてＬＯＳアラーム２１６も、ＬＯＦアラーム２１７も検出しない。
【００２６】
ここで、表１に、事象とアラーム状態との関係を示す。ＬＯＳアラーム２１６と、ＬＯＦアラーム２１７とが検出されたときには、表１に示すように、多様な要因が考えられる。同表に示されるように、事象２のケーブルのペア内が誤接続であると、ＬＯＳアラーム２１６の検出はなく、ＬＯＦアラーム２１７が検出される。同表より、ペア内の誤接続と、その他の要因とを切り分けることは困難であるため、原因究明に時間を要することになる。
【００２７】
【表１】
2007150775.tif 000003
【００２８】
次に、本発明にかかる方法によって差動信号回線の誤配線を検出する際の動作について説明する。
【００２９】
通常の使用例、すなわち、Ｊ０／Ｚ０バイトが本発明の値以外の値の場合で、ＬＯＳアラーム２１６による検出がなく、ＬＯＦアラーム２１７による検出があるとき、切り分けとして、回路１のＯＨ挿入部１０２において、図４に示すように、Ｊ０バイトとＺ０バイト＃１に、値Ｆ６（ｈ）を反転した値０９（ｈ）を、Ｚ０バイト＃２と＃３とに、値２８（ｈ）を反転した値Ｄ７（ｈ）をＣＰＵ３からの設定により挿入する。スクランブル部１０３において、Ｊ０バイト及びＺ０バイトは、スクランブル範囲外のため、値がそのまま出力され、シングル−バランス変換ドライバ１０４により差動信号にしてケーブルで伝送される。
【００３０】
回路２では、バランス−シングル変換レシーバ２０１で差動信号は、単線に変換され、フレーム同期部２０３において、差動信号回線が誤接続の場合には、先程挿入したＪ０バイトとＺ０バイトは、値反転により値０９（ｈ）値が値Ｆ６（ｈ）に、値Ｄ７（ｈ）が値２８（ｈ）で取り込まれる。そのため、フレーム同期を取ることができる。本発明にかかる方法を採用したときの事象と、アラーム状態との関係を表２に示す。
【００３１】
【表２】
2007150775.tif 000004
【００３２】
表１と表２を比較をすると、事象２の誤接続のときだけアラーム発生の有無が異なるため、誤接続を特定することができる。本方法は、ＣＰＵからのソフト的な検出が可能であり、要因切り分けが容易となり、作業時間を削減することができる。
【００３３】
次に、本発明の他の実施の形態について、図５乃至図７を参照しながら説明する。本実施の形態の基本的構成は、上記と同様であるが、本実施の形態では、隣接するすべての誤接続の組み合わせについて検出を可能にしている。
【００３４】
図５に示すように、このシステムは、回路１−回路２間でＳＤＨフレームを複数入出力するにあたって、回路１は、主信号を処理する主信号処理部１０１と、主信号処理部１０１が出力したデータ１０６に対してオーバーヘッドを挿入するＯＨ挿入部１０２と、スクランブル処理を行うスクランブル部１０３と、出力するＳＤＨ信号を伝送するため、差動信号に変換するシングル−バランス変換ドライバ１０４と、ＣＰＵバス３０１経由でＯＨ挿入部１０２を制御するＣＰＵインタフェース部１０５とで構成される。
【００３５】
回路２は、入力したＳＤＨ信号を差動信号から単線信号に変換するバランス−シングル変換レシーバ２０１と、受信したデータからクロックを抽出し、入力信号がないときにＬＯＳ（loss of signal）アラームを検出するクロックリカバリ部２０２と、受信したデータに対してフレーム同期バイトを検出し、フレーム同期を取り、フレーム同期バイトを検出しなかったときにＬＯＦ（loss of frame）アラームを検出するフレーム同期部２０３と、デスクランブル処理を行うデスクランブル部２０４と、オーバーヘッドを終端するＯＨ終端部２０５と、主信号を処理する主信号処理部２０６と、検出したアラームをＣＰＵバス３０１経由でＣＰＵ３に通知するＣＰＵインタフェース部２０７とで構成される。尚、回路１と回路２の接続には、主に同軸等のケーブル配線を用いる。
【００３６】
次に、図６に示す事象１−５の各々における上記システムの動作について説明する。
【００３７】
（１）事象１（正常な接続）
信号出力Ｐ１０９（ｎ）は、信号入力Ｐ２０９（ｎ）へ、信号出力Ｎ１１０（ｎ）は、信号入力Ｎ２１０（ｎ）へと、正常に接続されている場合を示す。前述の表１のように、故障又は断について、ＬＯＳアラーム２１６又はＬＯＦアラーム２１７が検出される。
【００３８】
（２）事象２（ペア内で誤接続）
信号出力Ｐ１０９（ｎ）は、信号入力Ｎ２１０（ｎ）へ、信号出力Ｎ１１０（ｎ）は、信号入力Ｐ２０９（ｎ）へと、ケーブルのペア内においてクロスで誤接続されている場合を示す。図１に示した装置の動作により、表１と表２の差異で事象２を特定することができる。
【００３９】
（３）事象３（隣接信号の異極性が誤接続）
信号出力Ｎ１１０（ｎ−１）は、信号入力Ｐ２０９（ｎ）へ、信号出力Ｐ１０９（ｎ）は、信号入力Ｎ２１０（ｎ−１）へと、隣接信号の片極性だけクロスで誤接続されている場合を示す。データｎ−１について、入力元が双方Ｐであるため、バランス−シングル変換レシーバ２０１では正常に変換することができない。従って、クロックリカバリ部２０２でＬＯＳアラーム２１６を検出するか、後のフレーム同期部においてＬＯＦアラームを検出する。データｎについても、同様にＬＯＳアラーム２１６又はＬＯＦアラーム２１７を検出する。
【００４０】
（４）事象４（隣接信号の同極性が誤接続）
信号出力Ｎ１１０（ｎ−１）は、信号入力Ｎ２１０（ｎ）へ、信号出力Ｎ１１０（ｎ）は、信号入力Ｎ２１０（ｎ−１）へと、隣接信号の片極性だけクロスで誤接続されている場合を示す。データｎ−１について、入力元がＰとＮであるため、仮に等長配線であればバランス−シングル変換レシーバ２０１では正常に変換することができる。ＬＯＳアラーム２１６もＬＯＦアラーム２１７も検出しない。データｎについても、同様にＬＯＳアラーム２１６又はＬＯＦアラーム２１７を検出しない。
【００４１】
次に、正常接続と区別できるように、双方のＢ１エラーを監視する。正常接続時に双方ともＢ１エラーを検出しないのに対して、本事象ではフレーム同期があってもデータ内の値は異なっているため、必ず双方にＢ１エラーが発生する。
【００４２】
一方、等長配線ではない場合には、事象３と同様に、双方ともＬＯＳアラーム２１６又はＬＯＦアラーム２１７が発生することで特定する。
【００４３】
（５）事象５（隣接信号の誤接続）
信号出力Ｐ１０９（ｎ−１）は、信号入力Ｐ２０９（ｎ）へ、信号出力Ｎ１１０（ｎ−１）は、信号入力Ｎ２１０（ｎ）へ、信号出力Ｐ１０９（ｎ）は、信号入力Ｐ２０９（ｎ−１）へ、信号出力Ｎ１１０（ｎ）は、信号入力Ｎ２１０（ｎ−１）へと、隣接信号の両極性、組で誤接続されている場合を示す。
【００４４】
この場合には、データｎ−１、データｎ双方とも、ＬＯＳアラーム２１６も、ＬＯＦアラーム２１７も、Ｂ１エラーアラーム２１８も検出しないため、特許文献１に示すような、ユーザー挿入可能なオーバーヘッドに対して識別コードを挿入する方法を用いれば、誤接続を特定することができる。
【００４５】
次に、事象１−５を用いた誤接続検出手順フローの実施例について、図７を参照しながら説明する。
【００４６】
まず、ステップＳ１において、データｎでＬＯＳアラーム又はＬＯＦアラームが存在する場合には、ステップＳ２において、データｎ−１又はデータｎ＋１でＬＯＳアラーム又はＬＯＦアラームが存在するか否かを判定する。そして、少なくとも一方が存在する場合には、事象３又は事象４であると判定する。一方、いずれのアラームも存在しない場合には、ステップＳ３に移行する。
【００４７】
ステップＳ３において、データｎに図４の値を挿入し、データｎでＬＯＳアラーム又はＬＯＦアラームが存在するか否かを判定する。そして、少なくとも一方が存在する場合には、事象１であると判定する。一方、いずれのアラームも存在しない場合には、事象２であると判定する。
【００４８】
次に、ステップＳ１において、データｎでＬＯＳアラーム及びＬＯＦアラームが存在しない場合には、ステップＳ４において、データｎでＢ１アラームが存在するか否かを判定する。そして、Ｂ１アラームが存在する場合には、ステップＳ５に移行する。一方、Ｂ１アラームが存在しない場合には、ステップＳ６に移行する。
【００４９】
ステップＳ５において、データｎ−１又はｎ＋１でＢ１アラームが存在するか否かを判定する。そして、Ｂ１アラームが存在する場合には、事象４であると判定する。一方、Ｂ１アラームが存在しない場合には、事象１であると判定する。
【００５０】
一方、ステップＳ６において、データｎついて識別コードと照合し、合致するか否かをチェックし、合致する場合には、事象１であると判定する。一方、合致しない場合には、事象５であると判定する。
【図面の簡単な説明】
【００５１】
【図１】本発明にかかる差動信号回線の誤接続検出システムの一実施の形態の構成を示すブロック図である。
【図２】本発明にかかる差動信号回線の誤接続検出システムにおけるＳＤＨ信号の同期バイトと検出条件を示す図である。
【図３】本発明にかかる差動信号回線の誤接続検出システムにおけるＳＤＨ信号のオーバーヘッド挿入箇所を示す図である。
【図４】本発明にかかる差動信号回線の誤接続検出システムにおけるオーバーヘッド挿入箇所と挿入値を示す図である。
【図５】本発明にかかる差動信号回線の誤接続検出システムを活用した構成を示すブロック図である。
【図６】本発明にかかる差動信号回線の誤接続検出方法及びシステムを適用することのできる隣接信号の誤接続の組み合わせを示す図である。
【図７】図５の誤接続検出方法の実施フローの一例を示す図である。
【符号の説明】
【００５２】
１  回路
１０１  主信号処理部
１０２  ＯＨ挿入部
１０３  スクランブル部
１０４  シングル−バランス変換ドライバ
１０５  ＣＰＵインタフェース部
１０６〜１０８  データ
１０９、１１０  データ出力（差動）
１１１  オーバーヘッド値
２  回路
２０１  バランス−シングル変換レシーバ
２０２  クロックリカバリ部
２０３  フレーム同期部
２０４  デスクランブル部
２０５  ＯＨ終端部
２０６  主信号処理部
２０７  ＣＰＵインタフェース部
２０８  オーバーヘッド値
２０９、２１０  データ入力（差動）
２１１〜２１５  データ
２１６  ＬＯＳアラーム
２１７  ＬＯＦアラーム
２１８  Ｂ１エラーアラーム
３    ＣＰＵ
３０１  ＣＰＵバス
【図１】
2007150775.tif 000005
【図２】
2007150775.tif 000006
【図３】
2007150775.tif 000007
【図４】
2007150775.tif 000008
【図５】
2007150775.tif 000009
【図６】
2007150775.tif 000010
【図７】
2007150775.tif 000011